(57)【要約】【課題】浴室、トイレなどで、電動換気扇などの換気設備を持たない部屋では、小さな窓のみが換気口となる場合が多いが、１つの窓では、空気の出入りが困難で、うまく湿気や臭いが排出されない場合が多い。しかし、すでに建築されていて、換気装置等を持たない構造の部屋には、電動の換気装置などをつけるのは容易ではない。【解決手段】窓の外に、異なる方向に向けた空気取り入れ口と、これを室内に導入するダクト、換気口を取り付けることにより、空気の流れや気圧の差を利用して、小さな窓でも効率よく換気を行うことができる。【選択図】図１
2013245910.tif 000002
【特許請求の範囲】
【請求項１】
広い口を異なる方向に向けて配置された２つの漏斗状の空気取り入れ口と、
窓の内側に向けて配置される２つの筒状の換気口と、
前記２つの換気口のそれぞれの窓に向かう側の反対側に１方を接続して残る１方を前記２つの空気取り入れ口それぞれの狭い側の口に接続する２本のダクトと、
前記２つの空気取り入れ口と前記２つの換気口と前記２つのダクトを固定する台座と、
前記台座を窓枠に固定する固定具と
を備える換気器具
【発明の詳細な説明】
【技術分野】
【０００１】
本発明は、部屋等の換気に関する。
【背景技術】
【０００２】
一般的な住宅には、浴室やトイレなど、湿気や臭いがこもりやすく、充分な換気が必要で、さらに通常、ドアを閉めていることの多い部屋（以後「閉部屋」と呼ぶ）が存在する。
【０００３】
閉部屋には建築段階から電動換気扇やダクトなどの換気設備をもった場合もあるが、それらの設備を備えていない場合も多く、その場合、小さな窓が１つだけという場合が多いのが現状である。
【０００４】
換気設備のない閉部屋は空気の循環が悪く、湿気や空気のにおいがこもりやすいなど空気の入れ替わりが少ない場合が多い。
【０００５】
これにより、湿気を原因としたカビの繁殖や、臭いの定着につながる場合も多くある。
【０００６】
こういったカビや臭いは衛生的に良くない状況であることや、この閉部屋の使用時に使用者に対して不快感を与えることも多くある。
【０００７】
こういったカビや臭いを防ぐためには、充分換気を行うことが効果的である。「特許文献１」や「特許文献２」ような電動換気扇を据え付けるか、または、空気の出入りする窓をつくる方法、また、可能であれば、その両方を行うなどの方法が効果的である。
【先行技術文献】
【特許文献】
【０００８】
【特許文献１】実用新案登録第３００４７８５号
【特許文献２】実願２００４−３４９号
【発明の概要】
【発明が解決しようとする課題】
【０００９】
浴室など湿気が多く充分な換気が必要な部屋でも、現実問題として、現在の段階で換気装置が付いていない状態の部屋に対して、電動換気扇など一般的な換気設備を取り付けるのは建物の工事や改装を伴うことから難しい場合が多い。
【００１０】
また、特に大規模集合住宅などでは、１方向の壁に、小さな明り取り兼用の窓を用意しているのみという場合も多く、１つの小窓のみでは、長い時間室内外の気圧差が発生し続けないことや、空気の出口と入り口の両方の働きをすることが１つの窓では難しいことなどから、空気の入れ替わりという現象が発生しにくく、換気能力がどうしても小さくなってしまう。
【００１１】
そこで本発明は、閉部屋の窓を利用して効果的に寒気を行える事を目的とする。
【課題を解決するための手段】
【００１２】
本発明の換気器具は、広い口を異なる方向に向けて配置された２つの漏斗状の空気取り入れ口と、窓の内側に向けて配置される２つの筒状の換気口と、前記２つの換気口のそれぞれの窓に向かう側の反対側に１方を接続して残る１方を前記２つの空気取り入れ口それぞれの狭い側の口に接続する２本のダクトと、前記２つの空気取り入れ口と前記２つの換気口と前記２つのダクトを固定する台座と、前記台座を窓枠に固定する固定具とを備える換気器具による換気
【発明の効果】
【００１３】
本発明によれば、異なる方向を向いた２つの空気取り入れ口の開口部は、風などの自然の空気の流れ等により、その２つの開口部が互いに気圧差を生じやすく、窓の内側（室内）などのような気圧の変化の発生しにくい場所に対して、一方が正圧、もう一方が負圧の気圧をもつ可能性が高い。
【図面の簡単な説明】
【００１４】
【図１】滑り出し窓形状の窓に本発明の換気器具をつけた例の図である。
【図２】図１を側面から見た場合の図である。
【図３】図１の換気器具の左側空気取り入れ口の系統のみを表した図である。
【図４】図３を側面から見た場合の図である。
【図５】図１の換気器具の右側空気取り入れ口の系統のみを表した図である。
【図６】図５を側面から見た場合の図である。
【図７】内倒し窓形状の窓に本発明の換気器具をつけた例の図である。
【図８】図７を側面から見た場合の図である。
【図９】空気の流れを表す上面図のベースとなる空気が流れていない図である。
【図１０】図９の構造に左から風が吹いた場合の図である。
【図１１】図１０の空気の流れ部分を拡大した部分拡大図である。
【図１２】図９の構造に右から風が吹いた場合の図である。
【図１３】図１２の空気の流れ部分を拡大した部分拡大図である。
【図１４】本発明の換気器具を取り付けない場合の、空気の流れを表す図である。
【図１５】図１４の空気の流れ部分を拡大した部分拡大図である。
【発明を実施するための形態】
【実施例１】
【００１５】
以下、本発明を具体化した形態を図面に基づいて説明する。
【００１６】
本発明の換気器具は、広い口を異なる方向を向けて配置された２つの漏斗状の空気取り入れ口と、窓の内側に向けて配置される２つの筒状の換気口と、２つの前記換気口のそれぞれの窓の内側に向く側の反対側に１方を接続され残る１方を２つの前記空気取り入れ口それぞれの狭い側の口を接続する２本のダクトと、これらを固定する台座と、前記台座を窓枠に固定する固定具を持つ換気器具を備え、異なる方向を向いた２つの空気取り入れ口の間で空気の流れにより気圧差が生じ、この気圧差により、窓の内側となる室内から２つの換気口とダクトを介して２つの空気取り入れ口との間で、空気の流れが生まれることにより、換気を効率よく行う。
【００１７】
本発明によれば、異なる方向を向いた２つの空気取り入れ口の開口部は、風などの自然の空気の流れ等により、その２つの開口部が互いに気圧差を生じやすく、窓の内側（室内）などのような気圧の変化の発生しにくい場所に対して、一方が正圧、もう一方が負圧の気圧をもつ可能性が高い。
【００１８】
これは、小窓を境に一方の気圧が大きく変動する室外で、もう一方は変動する側の気圧の影響を受ける小部屋である場合、小部屋の気圧は気圧が大きく変動する室外の最大値と最小値の間となることと同じ原理である。
【００１９】
室内から見た場合、この気圧差により、正圧となった側の空気取り込み口に接続されたダクト側の換気口では給気、負圧を持つ側の空気取り込み口に接続されたダクト側の換気口では排気という、空気の入れ替えに有効な２つの作用を併せ持つ働きをする。
【００２０】
その結果、２つの窓の付近に取り付けられた換気口の１方からは室内に向けて外気を吹き込み、もう１方の換気口からは室内の空気を屋外に吸い出す働きを持つ。
【００２１】
そして、この二つの換気口の働きは、風向きにより、２つの空気取り入れ口の気圧が逆になれば、逆の働きをもつことになる。
【００２２】
換気設備のない閉部屋では、図１４のような、小さな窓の換気能力は図１５の拡大図のように、多少の空気の入れ替わりはあるものの、部屋の中に空気が吹き込むような状況にはなりにくい。
【００２３】
ここでは閉部屋を浴室２１として、窓が滑り出し窓形状の窓の場合の例を説明する。
【００２４】
浴室２１に本発明の換気器具を図１のように取り付けた場合に、空気取り入れ口Ａ３と別方向を向いている空気取り入れ口Ｂ４は、その向きの違いから、自然の風が吹くことにより、２つの空気取り入れ口の間に気圧差が生じる。
【００２５】
風が図１０のように左から吹く場合に、風上となる空気取り入れ口Ａ３の気圧は風向き（風上）２４の影響から上がる傾向となり、別方向を向いている空気取り入れ口Ｂ４は風向き（風下）２５の影響から気圧が下がる傾向にある。
【００２６】
そのとき気圧が上がった空気取り入れ口Ａ３から空気取り入れダクトＡ５をとおり、換気口Ａ７から空気は吹き込んでくる。
【００２７】
逆に気圧の下がった空気取り入れ口Ｂ４の影響で、換気口Ｂ８からは空気が換気状態となる。
【００２８】
また、図１２のように風の向きが逆になると、気圧の変化が図１０の場合と逆になり、気圧が上がった空気取り入れ口Ｂ４から空気取り入れダクトＢ６をとおり、換気口Ｂ８から空気は吹き込んでくる。
【００２９】
逆に気圧の下がった空気取り入れ口Ａ３の影響で、換気口Ａ７からは空気が換気状態となる。
【実施例２】
【００３０】
図７は実施例１と同様な形状の換気器具を、内倒し窓形状の窓に取り付けた場合の図である。。
【００３１】
内倒し窓では、開口部が上部となるため、高い位置への取り付けとなるが、換気器具の影響で窓の明り取り性能が悪くなることも考えられるので、空気取り入れ口を図１の位置へ用意し、空気取り入れダクトを長くして、取り付け台座形状を変えることでの換気口を図７のような高い位置に配置することも有効な方法である。
【産業上の利用可能性】
【００３２】
本発明は窓を持つが換気能力が低く、湿気や匂いの多い部屋に対して、窓を利用して換気を効率よく行う換気器具に掛かる発明である。
【符号の説明】
【００３３】
１  壁
２  窓
３  空気取り入れ口Ａ
４  空気取り入れ口Ｂ
５  空気取り入れダクトＡ
６  空気取り入れダクトＢ
７  換気口Ａ
８  換気口Ｂ
９  窓固定用クランプ
１０  換気器具固定台座
２１  浴室
２２  窓
２３  浴槽
２４  風向き（風上）
２５  風向き（風下）
２６  換気（排気用）
２７  換気（給気用）
【図１】
2013245910.tif 000003
【図２】
2013245910.tif 000004
【図３】
2013245910.tif 000005
【図４】
2013245910.tif 000006
【図５】
2013245910.tif 000007
【図６】
2013245910.tif 000008
【図７】
2013245910.tif 000009
【図８】
2013245910.tif 000010
【図９】
2013245910.tif 000011
【図１０】
2013245910.tif 000012
【図１１】
2013245910.tif 000013
【図１２】
2013245910.tif 000014
【図１３】
2013245910.tif 000015
【図１４】
2013245910.tif 000016
【図１５】
2013245910.tif 000017